(57)【要約】【課題】解体時に容易に分離することができる弾性シール部材を樹脂製分割体に配設し、リサイクル性の良好なグロメットを提供する。【解決手段】グロメットは、防水箱に形成された開口部にワイヤハーネスを挿通する為に、該ワイヤハーネスを挟持した状態に一体結合される第１分割体２１と第２分割体とを備えて開口部に嵌入される。ナイロンから成る第１割体２１の分割体本体２２には、エラストマーから成る弾性シール部材２３がインサート成形により一体化されると共に、該弾性シール部材２３が前記分割体本体２２の貫通孔２７を貫通して設けられた抜け止め部２５を備えている。【選択図】        図４
2004194386.tif 000002
【特許請求の範囲】
【請求項１】
被取付け体に形成された開口部に長尺状部材を挿通する為に、該長尺状部材を挟持した状態に一体結合される一対の樹脂製分割体を備えて前記開口部に嵌入されるグロメットであって、
ナイロンから成る前記樹脂製分割体の少なくとも一方には、エラストマーから成る弾性シール部材がインサート成形により一体化されると共に、該弾性シール部材が前記樹脂製分割体を貫通して設けられた抜け止め部を備えていることを特徴とするグロメット。
【請求項２】
前記被取付け体が、箱本体と蓋体とから成る防水箱であり、前記箱本体の開口端縁に切欠き形成された開口部に嵌着されることにより、長尺状部材としてのワイヤハーネスがシール状態で挿通されることを特徴とする請求項１に記載のグロメット。
【発明の詳細な説明】
【０００１】
【発明の属する技術分野】
本発明は、被取付け体に形成された開口部にワイヤハーネス等の長尺状部材を挿通する際に、開口部と長尺状部材との接触防止と隙間からの浸水を防止するグロメットに関する。
【０００２】
【従来の技術】
例えば、自動車の車体パネルや電気接続箱等の被取付け体に形成した開口部にワイヤハーネス等の長尺状部材を挿通する際などには、ワイヤハーネスと開口部との接触防止と、隙間から水等が侵入するのを防止するために、グロメットが使用される。
【０００３】
従来、この種のグロメットは、全体を合成ゴム等の軟質弾性材料で一体成形したものが一般的であった。
しかし、このように全体を軟質弾性材料で一体成形したものは、ワイヤハーネス等を挿通させる際、これを拡径しなければならず、労力を要する面倒な作業となっていた。
【０００４】
そこで、この様な問題に対処する為、グロメット本体を硬質プラスチック等の硬質材料で形成し、且つこれを二分割構造とすると共に、二分割されたグロメット本体における分割体の分割面及び開口部との当接面には、防水シールする為の軟質弾性材を配設してワイヤハーネス等の挿通を容易にしたグロメットが提案されている（例えば、特許文献１参照。）。
【０００５】
図１２に示したグロメット１は、中心軸を通る面で分割された一対の分割体１ａ，１ｂから成り、各分割体１ａ，１ｂがそれぞれ一体成形された円筒分割体２ａ（２ｂ）、環分割体６ａ（６ｂ）、及び弾性分割体１２ａ（１２ｂ）で構成されている。
前記円筒分割体２ａ，２ｂは、各々の分割面が衝合して略円筒体形を形成するものであり、一体形成された係止爪３及び係止口４から成るロック機構が構成されている。これら円筒分割体２ａ，２ｂは、例えばポリプロピレン等の剛性を有するプラスチック材料にて射出成形される。
【０００６】
前記環分割体６ａ，６ｂは、各々の分割面が衝合して環状体を形成するものであり、分割面にはガイド突起８及びガイド孔９が形成されている。これら環分割体６ａ，６ｂは、上記円筒分割体と同様の剛性を有するプラスチック材料にて射出成形される。
【０００７】
前記弾性分割体１２ａ，１２ｂは、一方の環分割体６ａと一方の円筒分割体２ａ及び他方の環分割体６ｂと他方の円筒分割体２ｂを、それぞれ連結一体化するものであり、ゴム、プラスチックエラストマー等の軟質弾性材料にて形成される。
各弾性分割体１２ａ，１２ｂの外周面には、車体パネルに穿設された開口部の周縁に嵌合する環状溝１５ａ，１５ｂが凹設されている。又、各弾性分割体１２ａ，１２ｂには、円筒分割体２ａ，２ｂの分割面に沿って延びる突状シール体１８ａ，１８ｂと、シール舌片１９ａ，１９ｂが一体成形される。
【０００８】
尚、前記軟質弾性材料としては、円筒分割体２ａ，２ｂ及び環分割体６ａ，６ｂを形成するポリプロピレン等のプラスチック材料と相溶性の良いオレフィン系エラストマー、又はスチレン系エラストマー等のプラスチックエラストマーを使用することができる。そして、１／２に分割したグロメット形状のキャビティを有する金型内に円筒分割体２ａ，２ｂ及び環分割体６ａ，６ｂを収納して、この中に加熱溶融した弾性材料を注入する所謂２重射出成形法が使用される。
【０００９】
そして、上記構造のグロメット１は、分割された状態で図示しないワイヤハーネスを挟み、各分割体１ａ，１ｂを衝合し、そのロック機構により結合一体化される。この時、円筒分割体２ａ，２ｂの分割面に配設された突状シール体１８ａ，１８ｂは、互いに当接して押し潰されるので、分割面間に隙間が生じる恐れはない。
【００１０】
更に、一体化されたグロメット１は、車体パネルの開口部（図示せず）に円筒分割体２ａ，２ｂ側から挿通され、前記弾性分割体１２ａ，１２ｂの環状溝１５ａ，１５ｂに開口部の周縁が嵌合せしめられる。
そこで、軟質弾性材料から成る弾性分割体１２ａ，１２ｂが、車体パネルの開口部に密着し、グロメット１と該開口部の間からの浸水を防止する。
【００１１】
ところで、使用済みのワイヤハーネスは、車体全体に張り巡らされて取り外しが難しい為、車体等と一緒に押しつぶし、シュレッダーにかけて破砕されることが多かったが、近年、環境問題に端を発したシュレッダーダストの減量が叫ばれ、また、資源の有効活用を容易にするために、スクラップ鉄や非鉄金属、樹脂等の分別回収が求められている。
【００１２】
【特許文献１】
特開平８−３１２５１号公報（第３−４頁、図１乃至図４）
【００１３】
【発明が解決しようとする課題】
しかしながら、ワイヤハーネスは一般に、電線、端子、コネクタ、グロメット、絶縁テープ等で構成されており、これらを車体等と一緒に押しつぶし、シュレッダーにかけて破砕すると、異なる材料が混ざってしまい分別回収が難しくなる。
そこで、前述の押しつぶし工程の前の段階でのワイヤハーネスの車体からの取り外しを行うと共に、電線、端子、コネクタ、グロメット等の異なる材料から成る部品をできる限りワイヤハーネスから取り除いて分別することが行われている。
【００１４】
ところが、図１２に示したグロメット１の場合、円筒分割体２ａ，２ｂ及び環分割体６ａ，６ｂと、弾性分割体１２ａ，１２ｂとが、それぞれ相溶性の良いプラスチック材料とエラストマーとで２重射出成形（インサート成形）されており、強固に接着されている。
そこで、上述のようなリサイクル処理の為に、前記弾性分割体１２ａ，１２ｂをそれぞれ円筒分割体２ａ，２ｂ及び環分割体６ａ，６ｂから分離して回収しようとしても、接着部が剥がれにくく作業性が良くないという問題があった。
【００１５】
従って、本発明の目的は上記課題を解消することに係り、解体時に容易に分離することができる弾性シール部材を樹脂製分割体に配設し、リサイクル性の良好なグロメットを提供することである。
【００１６】
【課題を解決するための手段】
本発明の上記目的は、被取付け体に形成された開口部に長尺状部材を挿通する為に、該長尺状部材を挟持した状態に一体結合される一対の樹脂製分割体を備えて前記開口部に嵌入されるグロメットであって、
ナイロンから成る前記樹脂製分割体の少なくとも一方には、エラストマーから成る弾性シール部材がインサート成形により一体化されると共に、該弾性シール部材が前記樹脂製分割体を貫通して設けられた抜け止め部を備えていることを特徴とするグロメットにより達成される。
【００１７】
上記構成のグロメットによれば、長尺状部材を挟持した状態に一体結合される一対の樹脂製分割体の少なくとも一方がナイロンから成ると共に、該樹脂製分割体にインサート成形により一体化される弾性シール部材がエラストマーから成る。又、前記弾性シール部材は、前記樹脂製分割体を貫通して設けられた抜け止め部を備えている
【００１８】
そこで、前記樹脂製分割体と前記弾性シール部材とは、それぞれ相溶性の良くないナイロンとエラストマーとでインサート成形されており、互いの接着部が剥がれ易くなっているが、前記弾性シール部材に設けられた抜け止め部により剥がれやズレを防止することができる。
また、前記樹脂製分割体と前記弾性シール部材とを分別するリサイクル処理時には、前記抜け止め部を破断することにより、前記樹脂製分割体から前記弾性シール部材を容易に解体することができるので、分別作業性が向上する。
【００１９】
尚、好ましくは前記被取付け体が、箱本体と蓋体とから成る防水箱であり、前記箱本体の開口端縁に切欠き形成された開口部に前記グロメットが嵌着されることにより、長尺状部材としてのワイヤハーネスがシール状態で挿通される。
この場合、ワイヤハーネスの挿通を容易にすると共に、防水性とリサイクル処理性に優れた良好なグロメットを備えた防水箱を得ることができる。
【００２０】
【発明の実施の形態】
以下、添付図面に基づいて本発明の一実施形態に係るグロメットを詳細に説明する。
図１は本発明の一実施形態に係るグロメットの全体斜視図、図２は図１に示した一方の樹脂製分割体の全体斜視図、図３は図２に示した樹脂製分割体の分割体本体を示す全体斜視図、図４は図２のＩＶ−ＩＶ線断面矢視図、図５は図２のＶ−Ｖ線断面矢視図、図６は図１に示した他方の樹脂製分割体の全体斜視図、図７は図６のＶＩＩ−ＶＩＩ線断面矢視図である。
【００２１】
図１に示したように、本発明の一実施形態に係るグロメット２０は、後述する防水箱６０に形成された開口部６５に長尺状部材としてのワイヤハーネスＷ／Ｈを挿通する為に、該ワイヤハーネスＷ／Ｈを挟持した状態に一体結合される一対の樹脂製分割体である第１及び第２分割体２１，４１を備えた二分割グロメットである（図８乃至図１０、参照）。
【００２２】
前記第１分割体２１は、図２及び図３に示したように、ワイヤハーネスＷ／Ｈを挟持する為の挟持用凹部２９を備えたナイロン（例えば、ナイロン６６）製の分割体本体２２と、該分割体本体２２の周囲にインサート成形により一体化されるエラストマー製の弾性シール部材２３とから成る。
前記弾性シール部材２３は、前記開口部６５に当接する分割体本体２２の外側面に一体化されて複数のシールリブ２４が突設されたシール部分２３ａと、一体結合される前記第２分割体に当接する分割体本体２２の内側面に一体化されたシール部分２３ｂと、前記挟持用凹部２９の外方へ延設されたワイヤハーネス保持部３０とを有する。
【００２３】
前記分割体本体２２の内面には、図２に示したように、一体結合される前記第２分割体４１に垂設された一対の係止片４７，４７を係止する一対の係止部３１，３１が設けられており、これら第１及び第２分割体２１，４１を一体結合する為の係止手段を構成している。
【００２４】
又、図３に示したように、前記分割体本体２２には、肉厚方向に貫通する複数の貫通孔２７，２８が適宜設けられている。
そこで、前記弾性シール部材２３を前記分割体本体２２にインサート成形する際には、エラストマーの溶融体が前記貫通孔２７，２８に流入する。これら貫通孔２７，２８に流入したエラストマーの溶融体は、前記分割体本体２２の内外面側を連通して固化する。
【００２５】
前記貫通孔２７を連通して固化したエラストマーは、図４に示したように、分割体本体２２の内側（図中、上側）で内方広がりとなる係止部２５ａと連結部２５ｂとから成る抜け止め部２５を形成する。
又、前記貫通孔２８を挿通して固化したエラストマーは、図５に示したように、分割体本体２２の内側（図中、上側）で内方広がりとなる係止部２６ａと連結部２６ｂとから成る抜け止め部２６を形成する。
【００２６】
従って、前記分割体本体２２にインサート成形された弾性シール部材２３は、前記分割体本体２２と前記弾性シール部材２３とが、それぞれ相溶性の良くないナイロンとエラストマーとでインサート成形されており、互いの接着部が剥がれ易くなっているが、前記弾性シール部材２３に設けられた抜け止め部２５，２６により固定されるので、剥がれやズレを防止することができる。
【００２７】
前記第２分割体４１は、図６及び図７に示したように、ワイヤハーネスＷ／Ｈを挟持する為の挟持部４９を備えて略矩形板状をなすナイロン（例えば、ナイロン６６）製の分割体本体４２と、該分割体本体４２にインサート成形により一体化されるエラストマー製の弾性シール部材４３とから成る。
前記弾性シール部材４３は、前記分割体本体４２の外側に一体化され、前記防水箱６０における箱本体６１の開口縁に垂設された防水壁６２に当接する防水リブ４４が突設されている（図９、参照）。
【００２８】
前記分割体本体４２の外面（図７中、下面）は、前記箱本体６１の開口縁に設けられた本体シール面６８に略面一で連続するシール面５２とされており、四隅の側縁には、グロメット２０を前記箱本体６１の開口端縁に切欠き形成された開口部６５に固定する為のロックアーム５１が垂設されている。即ち、各ロックアーム５１は、前記開口部６５のグロメット収容壁６３に突設された係止突起６４に係止されることで、グロメット２０を開口部６５に固定する固定部を構成している。
【００２９】
又、前記分割体本体４２の挟持部４９を挟んだ長手方向両端側の内面には、前述した如く一対の係止片４７，４７が垂設されており、一側縁には、前記挟持部４９の外方へ延設されたワイヤハーネス保持部５０を有している。
【００３０】
更に、図７に示したように、前記弾性シール部材４３がインサート成形される前記分割体本体４２の一部には、複数の貫通孔４８が適宜設けられている。
そこで、前記弾性シール部材４３を前記分割体本体４２にインサート成形する際には、エラストマーの溶融体が前記貫通孔４８に流入する。この貫通孔４８に流入したエラストマーの溶融体は、前記分割体本体４２の内外面側を連通して固化する。
【００３１】
前記貫通孔４８を連通して固化したエラストマーは、図７に示したように、分割体本体４２の内側（図中、上側）で内方広がりとなる係止部４５ａと連結部４５ｂとから成る抜け止め部２５を形成する。
従って、前記分割体本体４２にインサート成形された弾性シール部材４３は、前記樹脂製分割体４２と前記弾性シール部材４３とが、それぞれ相溶性の良くないナイロンとエラストマーとでインサート成形されており、互いの接着部が剥がれ易くなっているが、前記弾性シール部材４３に設けられた抜け止め部４５により固定されるので、剥がれやズレを防止することができる。
【００３２】
次に、図８乃至図１０を参照して上記グロメット２０を防水箱６０に取り付ける際の手順を説明する。
先ず、図８に示したように、ワイヤハーネスＷ／Ｈの所定箇所に止水剤を塗布すると共に粘着シート材８０を巻付けて束ねることによって、前記グロメット２０に挟持される止水部が形成される。
【００３３】
そして、前記ワイヤハーネスＷ／Ｈの止水部を前記挟持用凹部２９と前記挟持部４９とで挟持するようにして一対の係止片４７，４７を一対の係止部３１，３１にそれぞれ係止させることによって、第１分割体２１と第２分割体４１とが一体結合される。
【００３４】
又、第１分割体２１と第２分割体４１との突き合わせ部は、分割体本体２２の内側面に一体化されたシール部分２３ｂによりシールされる。
更に、第１分割体２１と第２分割体４１とで挟持されたワイヤハーネスＷ／Ｈの延出部は、これら第１及び第２分割体２１，４１より延設されたワイヤハーネス保持部３０，５０と共にテープ巻き固定される。
【００３５】
次に、図９に示したように、ワイヤハーネスＷ／Ｈを挟持した状態のグロメット２０は、前記箱本体６１の開口部６５に嵌着され、第２分割体４１に設けたロックアーム５１が前記係止突起６４に係止されることで、該開口部６５に固定される。
この際、前記第１分割体２１と前記開口部６５との当接部は、シールリブ２４が突設されたシール部分２３ａによりシールされる。又、前記第２分割体４１の弾性シール部材４３は、防水リブ４４が箱本体６１の開口縁に垂設された防水壁６２に当接してシールする。
【００３６】
前記開口部６５に固定されたグロメット２０は、第２分割体４１のシール面５２が、箱本体６１の本体シール面６８に略面一で連続した状態となる。
そこで、図１０に示したように、箱本体６１の上方開口に蓋体７１を被冠すると、前記シール面５２及び前記本体シール面６８に対応して該蓋体７１の周縁に設けられたウェザーストリップ７２が、これらシール面５２及び本体シール面６８に密着する。
この状態で蓋体７１の周壁に設けた複数のロック片７３を箱本体６１側の係止突起６９に係止することで、蓋体７１が箱本体６１に固定される。
【００３７】
即ち、防水箱６０の開口部６５にワイヤハーネスＷ／Ｈを挿通する為のグロメット２０は、分割体本体２２の外側面に一体化された弾性シール部材２３のシール部分２３ａが前記開口部６５に当接することにより該開口部６５との間をシールし、前記挟持用凹部２９と前記挟持部４９とでワイヤハーネスＷ／Ｈの止水部を挟持することにより該ワイヤハーネスＷ／Ｈとの間をシールする。尚、ワイヤハーネスＷ／Ｈとの間に発砲部材等の軟質シール材を介装しても良い。
従って、前記防水箱６０内に収納されてワイヤハーネスＷ／Ｈに接続された電装品８１は、該防水箱６０により確実に防水される。
【００３８】
更に、本実施形態に係るグロメット２０が使用済みとなって、第１分割体２１における分割体本体２２と弾性シール部材２３、又は、第２分割体４１における分割体本体４２と弾性シール部材４３とをそれぞれ分別するリサイクル処理時には、図１１に示した第１分割体２１のように、弾性シール部材２３を分割体本体２２に固定している前記抜け止め部２５の連結部２５ｂを破断することにより、前記分割体本体２２から前記弾性シール部材２３を容易に解体することができる。
【００３９】
即ち、前記分割体本体２２と前記弾性シール部材２３とは、それぞれ相溶性の良くないナイロンとエラストマーとでインサート成形されているので、互いの接着部が容易に剥がれ、分別作業性が向上する。
又、第２分割体４１の場合も同様に、弾性シール部材４３を分割体本体４２に固定している前記抜け止め部４５の連結部４５ｂを破断することにより、分割体本体４２から弾性シール部材４３を容易に剥がすことができる。
【００４０】
尚、本発明のグロメットにおける一対の樹脂製分割体、弾性シール部材、及び抜け止め部等の構成は、上記実施形態の構成に限定されるものではなく、本発明の趣旨に基づいて種々の形態を採りうることは云うまでもない。
例えば、上記実施形態のグロメット２０は、被取付け体としての防水箱６０の開口部６５に装着されるグロメットであるが、車体パネル等の他の被取付け体に装着されるものでも良い。又、長尺状部材としても、上記実施形態のワイヤーハーネスＷ／Ｈの他、チューブやケーブル等も考えられる。
【００４１】
又、上記実施形態のグロメット２０においては、一対の樹脂製分割体である第１及び第２分割体２１，４１の分割体本体２２，４２が何れもナイロンから成っているが、例えば一方の樹脂製分割体のみにエラストマーから成る弾性シール部材がインサート成形される場合には、他方の樹脂製分割体が必ずしもナイロンで形成される必要はない。
【００４２】
【発明の効果】
以上詳細に説明したように、本発明のグロメットによれば、長尺状部材を挟持した状態に一体結合される一対の樹脂製分割体の少なくとも一方がナイロンから成ると共に、該樹脂製分割体にインサート成形により一体化される弾性シール部材がエラストマーから成る。又、前記弾性シール部材は、前記樹脂製分割体を貫通して設けられた抜け止め部を備えている
【００４３】
そこで、前記樹脂製分割体と前記弾性シール部材とは、それぞれ相溶性の良くないナイロンとエラストマーとでインサート成形されており、互いの接着部が剥がれ易くなっているが、前記弾性シール部材に設けられた抜け止め部により剥がれやズレを防止することができる。
【００４４】
また、前記樹脂製分割体と前記弾性シール部材とを分別するリサイクル処理時には、前記抜け止め部を破断することにより、前記樹脂製分割体から前記弾性シール部材を容易に解体することができるので、分別作業性が向上する。
従って、解体時に容易に分離することができる弾性シール部材を樹脂製分割体に配設し、リサイクル性の良好なグロメットを提供できる。
【図面の簡単な説明】
【図１】本発明の一実施形態に係るグロメットの全体斜視図である。
【図２】図１に示した一方の樹脂製分割体の全体斜視図である。
【図３】図２に示した樹脂製分割体の分割体本体を示す全体斜視図である。
【図４】図２のＩＶ−ＩＶ線断面矢視図である。
【図５】図２のＶ−Ｖ線断面矢視図である。
【図６】図１に示した他方の樹脂製分割体の全体斜視図である。
【図７】図６のＶＩＩ−ＶＩＩ線断面矢視図である。
【図８】図１に示したグロメットを防水箱に取り付ける際の手順を説明する為の分解斜視図である。
【図９】図８に示したグロメットを防水箱の開口部に嵌着した状態を示す部分斜視図である。
【図１０】図８に示したグロメットが開口部に嵌着された防水箱の縦断面図である。
【図１１】図４に示した一方の樹脂製分割体から弾性シール部材を解体した状態を示す断面図である。
【図１２】従来のグロメットの分解斜視図である。
【符号の説明】
２０    グロメット
２１    第１分割体（樹脂製分割体）
２２    分割体本体
２３    弾性シール部材
２５    抜け止め部
４１    第２分割体（樹脂製分割体）
４２    分割体本体
４３    弾性シール部材
４５    抜け止め部
【図１】
2004194386.tif 000003
【図２】
2004194386.tif 000004
【図３】
2004194386.tif 000005
【図４】
2004194386.tif 000006
【図５】
2004194386.tif 000007
【図６】
2004194386.tif 000008
【図７】
2004194386.tif 000009
【図８】
2004194386.tif 000010
【図９】
2004194386.tif 000011
【図１０】
2004194386.tif 000012
【図１１】
2004194386.tif 000013
【図１２】
2004194386.tif 000014